(57)【特許請求の範囲】
【請求項１】
端末が表示部のインターフェイスを介して入力された情報をサーバ装置に送る情報送信ステップを備え、
前記サーバ装置が、前記端末から受け付けた情報それぞれに、該情報を識別するための、該情報に含まれない識別子を割り当て、該識別子と該識別子に対応する前記情報とを物理媒体に印刷する印刷ステップを備え、
前記端末又は前記サーバ装置が、前記物理媒体から複数の前記識別子を１つの群として読み取ることを、複数の群の分だけ行う読み取りステップを備え、
前記サーバ装置が、前記読み取りステップにおいて１つの群として読み取られた複数の前記識別子に対応する複数の前記情報を１つの群の情報として出力することを、複数の群の分だけ行う出力ステップを備える、物理媒体を介した情報処理方法。
【請求項２】
前記印刷ステップでは、１つの物体に取り外し可能に接着された複数の物理媒体のそれぞれに対して、前記情報と該情報に対応する前記識別子との組を印刷する
請求項１に記載の物理媒体を介した情報処理方法。
【請求項３】
前記物理媒体の一部分は粘着性を有する
請求項１又は２に記載の物理媒体を介した情報処理方法。
【請求項４】
複数の前記物理媒体はユーザにより前記群毎に配置され、前記読み取りステップでは、１つの群として前記配置された複数の物理媒体から複数の前記識別子を１つの群として読み取る
請求項１、請求項２、又は請求項３に記載の物理媒体を介した情報処理方法。
【請求項５】
前記出力ステップにおいて出力した１つの群に含まれる複数の前記情報と、該複数の前記情報に対応する識別子とを、前記印刷を行っていない他の物理媒体に印刷する再印刷ステップを更に備え、
前記再印刷ステップにおいて印刷された物理媒体を対象として前記読み取りステップを再度行い、該再度行なわれた読み取りステップにおいて読み取られた複数の前記識別子を対象として前記出力ステップを更に行う
請求項１、請求項２、請求項３、又は請求項４に記載の物理媒体を介した情報処理方法。
【請求項６】
端末がインターフェイスを介して情報を入力するための表示部を備え、該端末は入力された情報をサーバ装置に送信し、
前記サーバ装置が、前記端末から受け付けた情報それぞれに、該情報を識別するための、該情報に含まれない識別子を割り当て、該識別子と該識別子に対応する前記情報とを物理媒体に印刷する印刷手段を備え、
前記端末又は前記サーバ装置が、前記物理媒体から複数の前記識別子を１つの群として読み取ることを、複数の群の分だけ行う読み取り手段を備え、
前記サーバ装置が、前記読み取り手段において１つの群として読み取られた複数の前記識別子に対応する複数の前記情報を１つの群の情報として出力することを、複数の群の分だけ行う出力手段を備える、物理媒体を介した情報処理システム。
【発明の詳細な説明】
【技術分野】
【０００１】
本発明は、物理媒体を介した情報処理を行うための、物理媒体を介した情報処理方法及び物理媒体を介した情報処理システムに関する。
【背景技術】
【０００２】
複数人のアイデアやインタビュー内容等を集約して、独創的な発想や新たなアイデアを生み出すための手法として、例えば、ＫＪ法（登録商標）や、上位下位関係分析法といった手法が知られている。
ＫＪ法は、非特許文献１に記載のように、ブレインストーミング等によって抽出された複数人のアイデア等のそれぞれを、１つのカードに１つ書き込み、書き込まれた内容の近いものを近傍に集めて分類するグループ化を繰り返すことにより、各アイデア等の関係性を明確にするというものである。
また、上位下位関係分析法は、ユーザに関する事象を記載したカードに基づいて、そのユーザの行為目標、更に行為目標から上位にあたるユーザのニーズ、更にさらにその上位のユーザの本質的要求を、上位下位の関係分析によって導きだすというものである。
これらの手法を実際に行う場合には、上述のカードとして、片面に粘着性を有する付箋のそれぞれにアイデア等を記載し、これらの付箋をホワイトボードに貼り付ける、という方法を採ることが一般的である。この場合に記載されている内容に関連性がある付箋を近傍に貼り付けていくようにすれば、アイデア等の分類や、アイデア等の体系化を行うことができる。
【０００３】
また、このように付箋等の物理的な媒体を用いるのではなく、パーソナルコンピュータ等で電子化した情報を用いてＫＪ法等を実行するという試みも行なわれている。例えば、特許文献１に、電子付箋を仮想的なマップ上に貼り付けるという技術が記載されている。より具体的に、特許文献１に記載の技術では、アイデアや、発言内容などのタスクをマインドマップ形式で表示し、各端末を利用している複数ユーザ間で共有化することで、各タスクの関係性を容易に把握できるようにしている。
【先行技術文献】
【特許文献】
【０００４】
【特許文献１】特開２００８−１９７７６５号公報
【非特許文献】
【０００５】
【非特許文献１】川喜田  二郎著、「ＫＪ法−渾沌をして語らしめる」、中央公論社、１９８６年、ｐ．１２１−１６９
【発明の概要】
【発明が解決しようとする課題】
【０００６】
特許文献１に記載の技術等を利用すれば、情報を電子化できることから、情報の管理や情報の記憶が容易となる。また、個々人が離れた場所にいたとしても、個々人がアイデア等の整理を行うことができる。
しかしながら、ＫＪ法や、上位下位関係分析法を行うためには、複数人の合意形成が重要であり、そのためには複数人が一堂に会して、実際に顔を付き合わせて行うことが望ましい。また、その場合には、電子化したデータを画面上で分類するのではなく、付箋等の物理的な媒体を利用する方が便利であると考えられる。
【０００７】
本発明はこれらの点を考慮してなされたもので、物理媒体を介した情報処理を簡便に行うことが可能な、物理媒体を介した情報処理方法及び物理媒体を介した情報処理システムを提供することを目的とする。
【課題を解決するための手段】
【０００８】
（１）  サーバ装置が、端末から受け付けた情報それぞれに、該情報を識別するための、該情報に含まれない識別子を割り当て、該識別子と該識別子に対応する前記情報とを物理媒体に印刷する印刷ステップと、
前記端末が、前記物理媒体から複数の前記識別子を１つの群として読み取ることを、複数の群の分だけ行う読み取りステップと、
前記サーバ装置が、前記前記読み取りステップにおいて１つの群として読み取とられた複数の前記識別子に対応する複数の前記情報を１つの群の情報として出力することを、複数の群の分だけ行う出力ステップと、
を備える物理媒体を介した情報処理方法。
【０００９】
（１）によれば、端末から受け付けた情報を物理媒体に印刷することから、物理媒体を用いて情報の分類等を行うことが可能となる。また、群単位で識別子を読み取ることから、群単位に分類した結果をコンピュータにより管理及び出力することができる。
【００１０】
（２）  （１）において、
前記印刷ステップでは、１つの物体に取り外し可能に接着された複数の物理媒体のそれぞれに対して、前記情報と該情報に対応する前記識別子との組を印刷する
物理媒体を介した情報処理方法。
【００１１】
（２）によれば、物理媒体それぞれに、情報とこの情報の識別子を印刷することから、１つの物理媒体を１つの情報と対応付けて扱うことが可能となる。また、これら物理媒体は取り外し可能に接着されていることから、これら物理媒体をバラバラにして利用することが可能となる。
【００１２】
（３）  （１）又は（２）において
前記物理媒体の一部分は粘着性を有する
物理媒体を介した情報処理方法。
【００１３】
（３）によれば、物理媒体が粘着性を有することから、物理媒体を何かに貼り付けて利用することが可能となる。例えば、一枚の模造紙の上に、各物理媒体を貼り付けて使用するようなことが可能となる。
【００１４】
（４）  （１）、（２）、又は（３）において
複数の前記物理媒体はユーザにより前記群毎に配置され、前記読み取りステップでは、１つの群として前記配置された複数の物理媒体から複数の前記識別子を１つの群として読み取る
物理媒体を介した情報処理方法。
【００１５】
（４）によれば、ユーザが物理媒体を利用して群毎に分類を行った結果に応じて、群毎に識別子を読み取ることが可能となる。
【００１６】
（５）  （１）、（２）、（３）又は（４）において
前記出力ステップにおいて出力した１つの群に含まれる複数の前記情報と、該複数の前記情報に対応する識別子とを、前記印刷を行っていない他の物理媒体に印刷する再印刷ステップを更に備え、
前記再印刷ステップにおいて印刷された物理媒体を対象として前記読み取りステップを再度行い、該再度行なわれた読み取りステップにおいて読み取とられた複数の前記識別子を対象として前記出力ステップを更に行う
物理媒体を介した情報処理方法。
【００１７】
（５）によれば、一度１つの群として分類した群について、同じ手順でより細かく分類を行うことができる。
【００１８】
（６）  サーバ装置が、端末から受け付けた情報それぞれに、該情報を識別するための、該情報に含まれない識別子を割り当て、該識別子と該識別子に対応する前記情報とを物理媒体に印刷する印刷手段と、
前記端末が、前記物理媒体から複数の前記識別子を１つの群として読み取ることを、複数の群の分だけ行う読み取り手段と、
前記サーバ装置が、前記前記読み取り手段において１つの群として読み取とられた複数の前記識別子に対応する複数の前記情報を１つの群の情報として出力することを、複数の群の分だけ行う出力手段と、
を備える物理媒体を介した情報処理システム。
【００１９】
（６）によれば、端末から受け付けた情報を物理媒体に印刷することから、物理媒体を用いて情報の分類等を行うことが可能となる。また、群単位で識別子を読み取ることから、群単位に分類した結果をコンピュータにより管理及び出力することができる。
【発明の効果】
【００２０】
本発明によれば、物理媒体を介した情報処理を簡便に行うことが可能となる。
【図面の簡単な説明】
【００２１】
【図１】本発明の実施形態全体の基本的構成を表す図である。
【図２】本発明の実施形態の基本的動作を表すフローチャートである。
【図３】本発明の実施形態におけるユーザインタフェース等の一例を表す図（１／６）である。
【図４】本発明の実施形態におけるユーザインタフェース等の一例を表す図（２／６）である。
【図５】本発明の実施形態におけるシールへの粘着剤の塗布に関する図である。
【図６】本発明の実施形態におけるユーザインタフェース等の一例を表す図（３／６）である。
【図７】本発明の実施形態におけるユーザインタフェース等の一例を表す図（４／６）である。
【図８】本発明の実施形態におけるユーザインタフェース等の一例を表す図（５／６）である。
【図９】本発明の実施形態におけるユーザインタフェース等の一例を表す図（６／６）である。
【図１０】本発明の第２実施形態の基本的動作を表すフローチャートである。
【発明を実施するための形態】
【００２２】
次に、本発明の実施形態について図面を参照して詳細に説明する。
【００２３】
［第１実施形態］
図１を参照すると、本実施形態である情報処理システム１は、メンバー端末１０ａ、メンバー端末１０ｂ、メンバー端末１０ｎ（ｎは３以上の自然数）、管理装置２０、印刷装置３０及びネットワーク４０を備える。情報処理システム１が備えるこれら各機器は通信機能を有しており、ネットワーク４０を介して相互に通信を行う。そして、情報処理システム１では、これら各機器が協働して動作することにより、物理媒体を介した情報処理を簡便に行う。この点について説明をする。まず、メンバー端末１０ａ、メンバー端末１０ｂ及びメンバー端末１０ｎから収集したアイデア等の情報を電子化して管理装置２０に集約させた後に、各アイデアに識別子を付し、印刷装置３０にて付箋等の物理媒体にアイデアと識別子とを印刷する。そして、メンバーに印刷した物理媒体を用いてＫＪ法等の手法により分類を行わせる。その後、メンバー端末１０ａ、メンバー端末１０ｂ及びメンバー端末１０ｎの何れかにより分類された付箋の識別子を読み取る。また、この読み取り結果に応じて管理装置２０が電子化したデータを分類する。
つまり、本実施形態では、電子化によるデジタルな処理と、実際に物理媒体を用いさせるというアナログな部分を融合させることにより、物理媒体を介した情報処理をより簡便に行うことを可能とする。次に、これら各機器の機能について説明をする。
【００２４】
メンバー端末１０ａ、メンバー端末１０ｂ及びメンバー端末１０ｎは、ＫＪ法や上位下位関係分析法といった手法でアイデアの分類を行うメンバーそれぞれが利用する端末である。メンバー端末１０ａ、メンバー端末１０ｂ及びメンバー端末１０ｎのそれぞれは、例えば、スマートフォンや、タブレット型等のパーソナルコンピュータといった電子機器により実現される。
【００２５】
ここで、メンバー端末１０ａ、メンバー端末１０ｂ及びメンバー端末１０ｎは、端末側アプリケーション部１１及び撮像部１２を備える。端末側アプリケーション部１１は、本実施形態特有の処理を実行するための機能ブロックである。端末側アプリケーション部１１は、ＣＰＵ等の演算処理装置が、本実施形態の特有の処理を実行するためソフトウェアに基づいた演算処理を行い、この演算処理の結果に基づいて１０が備える各ハードウェアを制御することにより実現される。また、撮像部１２は画像データを光学的に読み取るための部分であり、カメラにより実現される。本実施形態において、撮像部１２は、付箋に識別子として印刷されたＱＲコード（登録商標）を読み取るために利用される。なお、メンバー端末１０ａ、メンバー端末１０ｂ及びメンバー端末１０ｎは、これ以外にも通信機能や、画面表示機能及びメンバーの操作を受け付ける機能等を有する。
【００２６】
管理装置２０は、メンバー端末１０ａ、メンバー端末１０ｂ及びメンバー端末１０ｎの各メンバーのアイデアを管理するための装置である。管理装置２０は、サーバ装置や、パーソナルコンピュータ等により実現される。ここで、管理装置２０は、管理側アプリケーション部２１及びアイデアデータベース２２を備える。管理側アプリケーション部２１は、本実施形態特有の処理を実行するための機能ブロックである。管理側アプリケーション部２１は、ＣＰＵ等の演算処理装置が、本実施形態の特有の処理を実行するためソフトウェアに基づいた演算処理を行い、この演算処理の結果に基づいて管理装置２０が備える各ハードウェアを制御することにより実現される。また、アイデアデータベース２２はアイデアを管理するための部分であり、管理装置２０の内部又は外部に存在するＨＤＤ（Hard disk drive）等の記憶装置により実現される。なお、管理装置２０はこれ以外にも通信機能や、画面表示機能及びメンバーの操作を受け付ける機能等を有する。また、必須ではないが、管理装置２０が撮像部１２と同様の撮像部を有するようにしてもよい。
【００２７】
印刷装置３０は、管理装置２０からのネットワーク４０を介した印刷指示に基づいて、アイデアと、アイデアに割当てられた識別子とを、物理媒体であるカード紙に印刷する印刷装置である。印刷装置３０は、汎用のプリンタや複合機により実現される。ここで、アイデアは文字として印刷され、アイデアに割当てられた識別子はＱＲコードとして印刷される。カード紙として、どのような用紙も用いるかについては後述する。
【００２８】
ネットワーク４０は、情報処理システム１に含まれる各機器間での通信を実現するためのネットワークであり、例えば、インターネットや携帯電話会社により提供されるネットワークにより実現される。
【００２９】
次に、図面を参照して情報処理システム１により行なわれる一連の処理や、一連の処理においてメンバーに提示されるメンバーインタフェースについて説明を行う。ここで、図２は情報処理システム１により行なわれる一連の処理を表すフローチャートである。また、図３、４、６、７、８及び９一連の処理においてメンバーに提示されるメンバーインタフェースを表す図である。更に、図５は、カード紙の例を表す図である。
【００３０】
まず、今回アイデアをグループ化するプロジェクトに参加しているメンバー等からアイデアを集める。そのために、プロジェクトに参加している各メンバーが、メンバー端末１０ａ、メンバー端末１０ｂ及びメンバー端末１０ｎのそれぞれを利用してアイデアを入力するので、メンバー端末１０ａ、メンバー端末１０ｂ及びメンバー端末１０ｎはかかる入力を受け付ける。そして、メンバー端末１０ａ、メンバー端末１０ｂ及びメンバー端末１０ｎは、受け付けたアイデアを管理装置２０に対して送信する（ＳＰ１）。この際、図３の左側に示すようにメンバー端末１０ａ、メンバー端末１０ｂ及びメンバー端末１０ｎは、自身の表示部にインターフェイスＩＦ１を表示する。これは、各メンバーがアイデアを入力するためのインターフェイスであって、１つのアイデアを、電子化された１つのカードに入力するインターフェイスとなっている。なお、本明細書においてアイデアをカードに入力する場合を例に取って説明しているが、アイデア以外の、各メンバーの意見や感想、顧客からのインタビュー内容等の他の情報をカードに入力するようにしてもよい。
【００３１】
次に、メンバー端末１０ａ、メンバー端末１０ｂ及びメンバー端末１０ｎからアイデアをカード単位で受信した管理装置２０は、受信したアイデアに基づいてアイデアデータベース２２を更新する（ＳＰ２）。具体的には、受信したアイデアそれぞれを識別するための識別子であるアイデアＩＤと、アイデアを入力した端末又はメンバーを識別するためのメンバーＩＤと、アイデアの入力を受け付けた時間である投稿時間と、何れのプロジェクトのためのアイデアであるかを示す情報であるプロジェクト名とをアイデア毎に紐付けてカードとして記憶することにより、アイデアデータベース２２を更新する。この際、図３の右側に示すように管理装置２０は、自身の表示部にインターフェイスＩＦ２及びＩＦ３を表示する。インターフェイスＩＦ２は、管理装置２０を利用するメンバーからの操作を受け付けるためのインターフェイスである。メンバーはインターフェイスＩＦ２を操作することにより、各アイデアが記載された各カードを印刷するための指示を行ったり、カードの読み取りを行うための指示を行ったりすることができる。また、インターフェイスＩＦ３は、アイデアデータベース２２に記憶されている各アイデアに対応する各カードのデータを表示するインターフェイスである。
【００３２】
続いて、メンバーからの印刷指示があると（ＳＰ３においてＹｅｓ）、管理装置２０は、各アイデアに対応する各カードのデータをＱＲコード付きで紙に印刷するように印刷装置３０に対して指示を出す。かかるＱＲコードはアイデアの識別子であるアイデアＩＤを示すものであり、かかるＱＲコードを読み取ることにより、アイデアＩＤを抽出することができる。印刷装置３０はかかる指示に応じて印刷を実行する（ＳＰ４）。具体的には、管理装置２０は、図３のインターフェイスＩＦ２において「印刷プレビュー」操作を受け付けると、図４のインターフェイスＩＦ４に示すように印刷画面をプレビュー表示する。かかるプレビュー表示を参照したメンバーから、インターフェイスＩＦ４上で「印刷」操作を受け付けるとＳＰ３においてＹｅｓと判定し、ＳＰ４を実行する。
印刷は図４の右側に記載のように、物理媒体であるシール用紙５０に行うようにすると、印刷されたものを脱着可能な付箋として利用できるのでよい。具体的には、剥離紙に貼り付けられたシール用紙５０の印刷面に印刷を行う。そして、メンバーがかかるシール用紙５０をカード状に裁断する。これによりカード群５１のように複数のカードを物理的に作成することが可能となる。
【００３３】
ここで、シール用紙５０についてより詳細に説明を行う。図４においては、一枚のシール用紙５０に、複数個（例えば、１０個）のカードの情報を印刷し、その後、各カードの大きさに合わせて裁断を行っている。これにより、各メンバーは各カードを剥離紙付きのシールとして利用することができる。ここで、印刷後に裁断を行うのではなく、予めカード単位の大きさに裁断済みの複数のシールが、一枚の剥離紙に貼り付けられているシール用紙５０を利用するようにすると、メンバーによる裁断の手間を省くことができるのでよい。また、シール用紙５０のシールの印刷面の裏側の全面に粘着剤が塗布されておりて、これに剥離紙が貼り付けられた添付されていてもよいが、シールの印刷面の裏側の面の一部分にだけ粘着剤が塗布されているようにしてもよい。このようにすれば、各カードを模造紙やホワイトボードに貼り付けた後に、容易に剥がすことが可能となるのでよい。例えば、図５（Ａ）として示す、四隅の角部ＡＲ１、ＡＲ２ＡＲ３及びＡＲ４には粘着剤を塗布せずに、この角部を除く中央の部位ＡＲ５にのみ粘着剤を塗布するようにすると各カードを端から剥がすことが容易となるのでよい。また、四隅の角部ＡＲ１、ＡＲ２ＡＲ３及びＡＲ４の一部にも粘着剤を塗布するようにしてもよい。この場合に、中央の部位ＡＲ５には粘着剤を塗布しないようにしてもよい。かかる粘着剤の塗布は、例えばシールの印刷面の裏側の所定の領域のみに粘着剤を塗布するための印刷装置により粘着剤を塗布することにより実現することができる。そして、このようにして粘着剤を塗布したシールに剥離紙を貼り付けることによりシール用紙５０を完成することができる。
【００３４】
また、このようにして完成させたシール用紙５０に対して、印刷装置３０が印刷を行う場合に、シール用紙５０は、用紙運搬用のローラにより５０内部を移動することになるが、移動時に先頭となる端に粘着剤が塗布されていないと、この移動時に先頭となる端が捲れてしまい、剥離紙から剥がれて、印刷を行うことができない可能性がある。
例えば、図５（Ａ）の左に示すように、図中の上から下に向かって印刷が行なわれるとする、この場合に、シール用紙５０は、四隅の角部ＡＲ１やＡＲ２の存在する端を先頭として移動する。この場合に、四隅の角部ＡＲ１やＡＲ２に粘着剤が塗布されていないと、四隅の角部ＡＲ１やＡＲ２の存在する端が捲れてしまい、剥離紙から剥がれて、印刷を行うことができない可能性がある。そこで、このような場合には、四隅の角部ＡＲ１やＡＲ２に粘着剤を塗布しておくことにより、四隅の角部ＡＲ１やＡＲ２の存在する端が捲れてしまい、剥離紙から剥がれることを防止するようにするとよい。同様の考えにて、例えば図５（Ｂ）として示すように、端部領域ＡＲ６の存在する端を先頭として移動するならば、端部領域ＡＲ６に粘着剤を塗布しておき、残りの領域ＡＲ７には粘着剤を塗布しないようにするとよい。
【００３５】
次に、図６に示すように、ＳＰ４にて印刷された物理的なカードを利用して、各メンバーが一同に介してＫＪ法や上位下位関係分析法といった分類手法を用いてグループ分けを行う。ここで、各カードから剥離紙を剥がすことにより、各カードは印刷面の裏側に粘着剤が塗布されたシールとなる。そこで、各メンバーはこのシールを模造紙やホワイトボードに貼り付けたり、模造紙やホワイトボードから剥がして、他の場所に再度貼り付けたりすることを繰り返してグループ分けを行う。例えば、同じグループに属するカードを近傍に配置することによりグループ分けを行う。なお、ＫＪ法や上位下位関係分析法以外の分類手法を用いてグループ分けを行うようにしてもよい。
【００３６】
グループ分けが終了すると、メンバーの何れかはメンバー端末１０ａ、メンバー端末１０ｂ、メンバー端末１０ｎ又は管理装置２０の何れかの撮像部を利用して、模造紙等に貼り付けられた各カードに印刷されているＱＲコードの読み取りを行う。例えば、管理装置２０が、図３のインターフェイスＩＦ２における「グルーピング読み込み」操作を受け付けたならば、或るグループの読み込みが開始される（ＳＰ５）。メンバーは読み込み開始後、この或るグループに分類されるカード上のＱＲコードを順次読み込んでいくので、管理装置２０は、このＱＲコードから抽出されるアイデアＩＤの全てを、この或るグループに分類されるアイデアＩＤとして記憶する。この読み取り用の画面をインターフェイスＩＦ７として図７に示す。インターフェイスＩＦ７には撮像部が撮像中の映像が再生されるので、メンバーはかかるインターフェイスＩＦ７を参照しながら、ＱＲコードを画面内の所定の位置に合わせる。これにより、管理装置２０はＱＲコードを読み取ることができる。また、読み取ったＱＲコードから抽出したアイデアＩＤを、インターフェイスＩＦ６のようにして示す。これにより、メンバーはＱＲコードを読み取ったことが確認できる。そして、メンバーが読み取り終了を表す操作を行ったことや、読み取り開始から所定時間経過したこと等を契機として、１つのグループについての読み込みを終了する。
【００３７】
読み取った複数のアイデアＩＤは、或る１つのグループに分類されるアイデアのアイデアＩＤとして管理装置２０に送信される（ＳＰ６）。なお、管理装置２０の撮像部により撮像をしたならば、かかる送信は行なわない。
そして、管理装置２０は、取得した或る１つのグループに分類されるアイデアのアイデアＩＤに基づいて、グループ情報を生成する。具体的には、アイデアＩＤに基づいてアイデアデータベース２２を検索することにより、アイデアＩＤに紐付けられているアイデア等の各種の情報を抽出し、これをグループ単位でまとめることにより、グループ情報を生成する（ＳＰ７）。なお、この際グループのタイトルは、例えば「グループＡ」、「グループＢ」というように機械的に割当てておく。そして、ＩＦ７において、メンバーがグループ分けした各グループに対して、グループ内のアイデアの内容に応じたタイトルを設定するための操作を行ったならば、グループのタイトルを設定された内容に変更するようにする。
【００３８】
その後、管理装置２０は、図８のインターフェイスＩＦ７で、読み取り「完了」操作を受け付けたならば（ＳＰ８においてＹｅｓ）、ＳＰ９に遷移する。一方で、読み取り完了操作ではなく、グループの「追加」操作を受け付けたならば（ＳＰ８においてＮｏ）、新たなグループに分類されるカードを対象として、ＳＰ６以降の処理を再度実行する。
【００３９】
ＳＰ９では、管理装置２０が、ＳＰ７で生成したグループ情報を出力する（ＳＰ９）。つまり、ＳＰ１で集めたアイデアと、ＳＰ５における読み取り結果を反映してＳＰ７で生成したグループ情報と、に基づいて、アイデアデータベース２２に格納されているアイデアをグルーピングして出力する。出力方法は、例えば、管理装置２０や、メンバー端末１０ａ、メンバー端末１０ｂやメンバー端末１０ｎの表示部に、図９のインターフェイスＩＦ８のように表示することにより出力することが考えられる。また、その他にも、インターフェイスＩＦ８に示すような内容を印刷装置３０から紙媒体に出力するようにしてもよい。更に、その他にもＣＳＶ（comma-separated values）ファイルや、ＰＤＦ（Portable Document Format）形式に準拠したファイル等をデータ出力するようにしてもよい。このように、して出力を行うことにより、その後、プレゼン資料や打ち合わせ資料として使うことができる
【００４０】
以上説明した本実施形態では、アイデアをアイデアデータベース２２において電子的に管理するのみならず、アイデアを一度物理媒体であるシール用紙５０に印刷することから、各メンバーが物理的にカードを扱ってグルーピングを行うことが可能となる。また、その後、ＱＲコードを読み取るという動作を行うのみで、アイデアデータベース２２上の電子化されたアイデアに対してグルーピング内容を反映して管理することも可能となる。
【００４１】
以上、上述した実施形態は、本発明の好適な実施形態ではあるが、上記実施形態のみに本発明の範囲を限定するものではなく、本発明の要旨を逸脱しない範囲において種々の変更を施した形態での実施が可能である。
【００４２】
例えば、ＳＰ９における出力後、動作を一度終了するが、同じプロジェクトについて、再度ＳＰ１からの処理を行うようにしてもよい。つまり、事後的にグループを新たに追加したり、グルーピングの内容を変更したりするようにしてもよい。また、グルーピングは階層的に行うようにしてもよい。例えば、第１のグループの下に、更に第１−１のグループと、第１−２を設けるようにして、各グループにアイデアを分類するようにしてもよい。また、ＳＰ９における出力時のインターフェイスも、実際に行った分類手法に応じて任意に変更するようにしてもよい。更に、ＱＲコード以外のバーコード等を利用するようにしてもよい。例えば、ＱＲコードに代えてアイデアＩＤをテキストで表示する。そして、ＳＰ５では、ＯＣＲ（Optical Character Recognition）により、テキストからアイデアＩＤを読み取るようにしてもよい。また、以下の第２実施形態や第３実施形態のようにしてもよい。
【００４３】
［第２実施形態］
上述の実施形態により出力されたグルーピングの情報（図２、ＳＰ９）を参照したメンバーが、或るグループについて再度分類を行うことを望む場合がある。そこで、図１０に示すように、本実施形態ではかかる再分類を、管理装置２０等の操作により電子化した状態で行うのではなく、図６を参照して説明したように、メンバーが一同に介した場所で、物理媒体を用いて行うことができるようにする。以下、そのための処理について説明を行う。なお、かかる処理以外については、第１実施形態と同様であるので説明を省略する。
【００４４】
本実施形態では、ＳＰ９が終了すると、或るグループについての再分類のための操作を管理装置２０やメンバー端末１０ａ、メンバー端末１０ｂやメンバー端末１０ｎが受け付けたか否かを判定する（ＳＰ２１）。再分類のための操作を受け付けていないならば（ＳＰ２１においてＮｏ）、処理を終了する。一方で、再分類のための操作を受け付けたのならば（ＳＰ２１においてＹｅｓ）、ＳＰ４に遷移する。ここで、上述の説明ではＳＰ４にて、アイデアデータベース２２に格納されている全てのアイデアをＱＲコードと共にカードとして、シール用紙５０に印刷していた。
一方で、ＳＰ２１においてＹｅｓの場合に遷移したＳＰ４では、ＳＰ２１について再分類の対象として選択されたグループに含まれるアイデアについてのみＱＲコードと共にカードとして、シール用紙５０に印刷する。例えば、アイデアデータベース２２に５０個のアイデアが格納されていたとしても、再分類の対象として選択されたグループに含まれるアイデアが１０個ならば、その１０個のアイデアについてのみＱＲコードと共にカードとして、シール用紙５０に印刷する。
【００４５】
そして、メンバーはかかる１０個のアイデアについて再分類を行い、複数のグループに分類する。その後、ＳＰ５以降の処理を行うことにより、一度グルーピングした後に行う再分類の場面においても、メンバーが一同に介した場所で、物理媒体を用いて行うことが可能となる。
【００４６】
［第３実施形態］
第１実施形態や第２実施形態を更に変形して、第３実施形態とすることも考えられる。第３実施形態では、メンバー端末１０ａ、メンバー端末１０ｂやメンバー端末１０ｎの一部又は全部に管理装置２０と同等の機能を実装する。つまり、メンバー端末１０ａ、メンバー端末１０ｂやメンバー端末１０ｎにもアイデアデータベース２２を構築し、何れかのアイデアデータベース２２を更新する場合には、各メンバー端末全てのアイデアデータベース２２を同じ内容となるように更新する。これにより、各メンバー端末１０ａ、メンバー端末１０ｂやメンバー端末１０ｎにおいてグルーピングした情報を出力したり、グループ名を編集したりすることが可能となる。
【００４７】
なお、上記の情報処理システムに含まれる、各メンバー端末及び管理装置のそれぞれは、ハードウェア、ソフトウェア又はこれらの組み合わせにより実現することができる。また、上記の情報処理システムに含まれる、各メンバー端末及び管理装置により行なわれる物理媒体を介した情報処理方法も、ハードウェア、ソフトウェア又はこれらの組み合わせにより実現することができる。ここで、ソフトウェアによって実現されるとは、コンピュータがプログラムを読み込んで実行することにより実現されることを意味する。
【００４８】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory）)を含む。
【符号の説明】
【００４９】
１０ａ、１０ｂ、１０ｃ  メンバー端末
１１  端末側アプリケーション部
１２  撮像部
２０  管理装置
２１  管理側アプリケーション部
２２  アイデアデータベース
３０  印刷装置
４０  ネットワーク
５０  シール用紙
５１  カード群
５２  シールの粘着剤塗布面
６０ａ、６０ｂ  メンバー
７０  模造紙及び貼り付けられたカード
【図１】
0006784496.tif 000002
【図２】
0006784496.tif 000003
【図３】
0006784496.tif 000004
【図４】
0006784496.tif 000005
【図５】
0006784496.tif 000006
【図６】
0006784496.tif 000007
【図７】
0006784496.tif 000008
【図８】
0006784496.tif 000009
【図９】
0006784496.tif 000010
【図１０】
0006784496.tif 000011